(57)【特許請求の範囲】
【請求項１】
患者に投薬を投与する臨床装置をプログラムするための装置であって、
患者及び患者に投与されるべき投薬を表す第１の識別データ、患者データ、臨床装置データ及び臨床装置の作動パラメータが記憶されているメモリーを有し、臨床装置に作動的に接続されたコンピュータと、
患者のための少なくとも１つの正しい投薬を表す第２の識別データが記憶されているメモリーを有し、患者に施された治療を証明し、監視し、且つ記録するように機能するソフトウエアを使用して作動するようにプログラムされた異なるコンピュータと、
臨床装置に作動的に接続されたコンピュータに接続され、コンピュータのメモリーに記憶するため第１の識別データをコンピュータに入力するのに使用される第１の入力手段と、
異なるコンピュータのメモリーに記憶するために第２の識別データ、患者データ、臨床装置データ及び臨床装置の作動パラメータの異なるコンピュータへの入力のため、異なるコンピュータに接続された第２の入力手段と、
臨床装置に作動的に接続されたコンピュータを異なるコンピュータに接続するための通信手段と、を有し、コンピュータに入力された第１の識別データが通信手段によって異なるコンピュータに通信され、
異なるコンピュータに作動するソフトウエアは、異なるコンピュータに通信された第１の識別データを異なるコンピュータのメモリーに記憶された第２の識別データと比較して患者に投与されるべき投薬が患者のための正しい投薬であることを証明し、
患者に投与されるべき投薬が患者のための正しい投薬であることを証明した後、異なるコンピュータに作動するソフトウエアは異なるコンピュータを作動して、コンピュータに作動するソフトウエアによって使用される臨床装置作動パラメータを、臨床装置に作動的に接続されたコンピュータに自動的にダウンロードして、ダウンロードされた作動パラメータに従って臨床装置をプログラムし且つこれを作動する、上記装置。
【請求項２】
第１の入力手段はバーコードリーダからなる、請求項１に記載の装置。
【請求項３】
臨床装置に作動的に接続されたコンピュータのメモリーに記憶された臨床装置データは臨床装置ロケーションデータからなり、第１の入力手段は、コンピュータのメモリーに記憶するための臨床装置ロケーションデータを臨床装置に作動的に接続されたコンピュータに入力するのに使用される、請求項１に記載の装置。
【請求項４】
異なるコンピュータのメモリーに記憶された臨床装置データは更に臨床装置ロケーションデータからなり、通信手段は、第２のコンピュータのメモリーに臨床装置ロケーションデータを記憶するために、臨床装置ロケーションデータを臨床装置に作動的に接続されたコンピュータから異なるコンピュータに通信するためにも使用される、請求項１に記載の装置。
【請求項５】
臨床装置に作動的に接続されたコンピュータのメモリーに記憶された臨床装置データは、更に臨床装置使用データからなる、請求項１に記載の装置。
【請求項６】
異なるコンピュータのメモリーに記憶された臨床装置データは更に臨床装置使用データからなり、通信手段は、異なるコンピュータのメモリーに臨床装置使用データを記憶するために、臨床装置使用データを臨床装置に作動的に接続されたコンピュータから異なるコンピュータに通信するためのものである、請求項５に記載の装置。
【請求項７】
臨床装置に作動的に接続されたコンピュータのメモリーに記憶された臨床装置データは、臨床装置保守データからなる、請求項１に記載の装置。
【請求項８】
異なるコンピュータのメモリーに記憶された臨床装置データは更に臨床装置保守データからなり、通信手段は、異なるコンピュータのメモリーに臨床装置保守データを記憶するために、臨床装置保守データを臨床装置に作動的に接続されたコンピュータから異なるコンピュータに通信するためのものである、請求項７に記載の装置。
【請求項９】
異なるコンピュータのメモリーに記憶された患者データは更に投薬投与記録からなり、各投薬投与記録は患者識別データ及び治療データを含む、請求項１に記載の装置。
【請求項１０】
治療データは臨床装置作動パラメータを含む、請求項９に記載の装置。
【請求項１１】
通信手段は、治療されている患者に対応する投与記録に治療データを記憶するために、第１の入力手段によって、臨床装置に作動的に接続されたコンピュータに入力された治療データを異なるコンピュータに通信するためのものである、請求項９に記載の装置。
【請求項１２】
通信手段は、識別データ、患者データ、及び臨床装置データを異なるコンピュータに送信したり異なるコンピュータから受信したりするための、臨床装置に作動的に接続されたコンピュータに作動的に接続された第１の送信器／受信器と、
患者識別データ、投薬識別データ、患者データ、及び臨床装置データを、臨床装置に作動的に接続されたコンピュータから受信し、臨床装置データを、臨床装置に作動的に接続されたコンピュータに送信するための、異なるコンピュータに作動的に接続された第２の送信器／受信器と、を有する、請求項１に記載の装置。
【請求項１３】
臨床装置は臨床装置データを、臨床装置に作動的に接続されたコンピュータに送信したり、臨床装置に作動的に接続されたコンピュータから受信したりするための第３の送信器／受信器を含む、請求項１２に記載の装置。
【請求項１４】
臨床装置データは臨床装置ロケーションデータを含む、請求項１３に記載の装置。
【請求項１５】
臨床装置に作動的に接続されたコンピュータに作動的に接続された第１の無線周波数送信器／受信器と、
臨床装置データを、臨床装置に作動的に接続されたコンピュータと臨床装置との間で通信するための、臨床装置に作動的に接続された第２の無線周波数送信器／受信器と、
を更に有する、請求項１に記載の装置。
【発明の詳細な説明】
【０００１】
【発明の背景】
本発明は一般的には、健康管理施設で患者医療を管理するための装置に関し、特に、データを収集し、且つ患者医療の施しを制御するための装置に関する。
医療施設は、利益を絶えず維持し又は改善しなければならず、しかも同時に、患者医療を改善しなければならない競争環境と直面している。いくつかの要因が、健康管理が患者に病院で施されるか、院外患者臨床設備で施されるかで、絶えず増える健康管理コストに寄与する。健康管理施行者は治療の種類及び利用できるサービスの増えた複雑さに直面するが、各患者について完全且つ詳細な医療記録を維持しながら、複雑な治療を提供する施設の能力を奨励して、これらの複雑な治療及びサービスを効率的に提供しなければならない。
【０００２】
健康管理施設の種々のサービス及びユニットのすべてを治療及び他の薬を患者に時間通りに出す相互関連の自動装置に組み合わせる医療装置を有するのが有利である。このような装置は、投薬を、知られたアレルギー反応のデータベースに対して及び又は患者の薬の副作用を医療歴に対してチェックすることによって患者に不適当な投薬を投与することを防止する。相互関連装置はまた医者、看護婦、及び又は医療施与者にサイドベッドで最近の患者情報を与え、追加の薬を何時要求するかを、或いは予定治療が何時予定から遅れているかを施設の薬局に知らせ、投薬又は他の医療が与えられる毎に施設の会計データベースを自動的に更新する。
患者の治療に伴われる薬の投与及び支給物の使用の不正確な記録により、実際のコストの勘定機会を完全に捕捉し損ねることによって施設への総収入を減ずることになる。不適当な管理はまた特定の病気を治療する際に伴われるあらゆるこすとの正確なレポートを出し損ねる。
多くの病院及び臨床試験所では、患者の名前を印刷したプレスレット具が、全滞在中患者を識別するために、施設に入ったときに患者に恒久的に付けられる。このセーフガードにも拘らず、患者の識別の誤りの機会が起こる。例えば、血液サンプルが、患者から取られるとき、血液サンプルは、患者の識別ブレスレットから患者の名前及び他の情報を手で書きうつすことによって識別されなければならない。患者の名前を転写する際には、看護婦又は専門家は名前を誤って写すかもしれないし、或いは、患者のブレスレットを実際に読まないで記憶又は異なるデータ源に頼るかもしれない。
その上、投薬を投与する注入ポンプを作動するパラメータのような他の情報を手で転写することにより、薬の投与及び患者の医療の正確さ及び又は有効性を減ずる誤りを生じさせるかもしれない。
【０００３】
病院及び他の施設は質のよい患者医療を提供するようよに絶えず努力しなければならない。間違った患者が間違った薬を間違った時間に、間違った投薬量で受ける場合、或いは間違った手術が行われた場合のような医療の誤りはあらゆる健康管理施設にとって重大な問題である。多くの処方薬及び注射は、単に、患者の名前や識別番号を、治療を施す事になっている看護婦又は専門家が手書きした紙切れによって識別される。異なるベッドに患者を移すことの誤りや、紙切れを作る際の誤りのような種々の理由のために、患者に正しくない治療を与える可能性が起こる。これは、患者及び病院に対して高い費用をもたらし、このような費用は、患者が正しい医療を受けていることを証明する自動装置を使用して防ぐことができる。
【０００４】
これらの問題に対する種々の解決策、例えば患者及び投薬を識別するバーコード、又は患者のデータをベットサイドで入れることができる装置が開発されてきた。これらの装置は技術を著しく進歩させたけれども、さらにもっと包括的な装置がより大きい価値のものであることが分かる。
必要とされたもので、従来入手できなかったものは、患者医療を追跡し且つ制御するための、そして患者への健康管理の信頼性のある効率的なコスト効果の高い交付を達成するために、患者医療情報を他の施設のデータベースと統合させるための集中モジュール装置である。本発明はこれらの要望及び他の要望を満たす。
【０００５】
【発明の概要】
概略的には、本発明は健康管理施設の医療の管理を監視し、制御し、且つ追跡することのできる新規且つ改良された患者管理装置を提供する。
一般的には、患者管理装置は患者データを受けための及びレポートを作成し、或いはこれを表示するための種々の入力及び出力装置を有する多数のＣＰＵからなる。ソフトウェアプログラムの装置はＣＰＵで作動して、データが、患者が施設で受ける医療を表すデータベースからレポートを記録し、処理し、そして作成する。ＣＰＵは少なくとも１つの専用のファイルサーバと一緒に、互いに接続されてネットワークを形成する。患者データはパーソナルコンピュータの使用によって入力され、そしてファイルサーバに接続されたデータ記憶装置に記憶される。
【０００６】
もっと詳細には、例示であって必ずしも限定ではない詳細な観点では、患者管理装置は薬局コンピュータと、ビデオディスプレー及びプリンターを含むナースステーションＣＰＵと、患者に投薬を与えるための注入ポンプのような種々の臨床装置に接続されたベットサイドＣＰＵと、患者識別ブレスレットに付けられたバーコードラベルか薬容器に付けられたラベルのいずれかを読むためのバーコードリーダとを含む。作動中、患者管理装置は、患者、患者の状態、及び患者の病気を治療するように処方された治療コースに関する情報のデータベースを維持することによって、正しい投薬が正しい患者に、正しい配送ルートを経て正しい投薬量で、正しい時間に投与されていることを証明する。
【０００７】
患者はベットサイドＣＰＵに接続されたバーコードリーダによって読まれるバーコードを含む識別装置を付ける。患者の治療過程で患者に投与すべき投薬は薬局でバーコードプリンターによって印刷されたラベルで、或いは単位投薬包装に付けられた製造者の供給バーコードによって識別される。投薬が医療施与者によって患者に投与されたとき、医療施与者はベットサイドＣＰＵに接続されたバーコードリーダを使って患者識別装置のバーコード及び投与すべき投薬を識別するラベルのバーコードを読む。患者管理装置は患者識別を投薬と比較し、それが患者にとって正しい投薬であることを証明する。加えて、医療施与者はまた医療施与者の名前及び他の情報をもったバーコードを付けた識別装置を有してもよい。
かくして、バーコードリーダを使うと、医療施与者の識別はデータベースに記憶され、そして患者に与えられた治療にリンクされて患者に与えられたあらゆる治療の完全且つ正確な追跡を確保する。
【０００８】
更なる観点では、患者管理装置はまた施設の各臨床装置の現在の場所を記録する能力を有し、且つ装置の使用及び結果データベースに装置の使用の履歴を維持する。このデータベースはまた装置の保守及び較正の履歴を含む。
他の観点では、患者管理装置は健康管理施設の種々のユニット内の消費支給物の使用を追跡する能力を有する。これは、支給物が常に入手できるようにするために消費支給物の在庫を管理するのを助ける。更なる利点は、施設の管理が支給物の使用を映し、過剰な在庫コストを掛けることなく、コストの減少を確保する量で支給物を購入することを可能にすることである。
更に他の観点では、患者管理装置は装置の種々のハードウェア要素をローカルエリアネットワークに一緒に接続するために、ＲＦ（無線周波数）エミッター及びレシーバを採用する。この観点は、施設全体にわたってコストのかかるネットワーク配線の必要性を除去しながら、ネットワークのハードウェア要素の位置決めに大きな融通性をもたらす点で有利である。
本発明のこれら及び他の利点は例示の実施形態の添付図面についてなされる以下の詳細な説明から明らかになろう。
【０００９】
【好ましい実施形態の説明】
今、図面、特に図１を参照すると、本発明の看護点管理の１つの実施形態を含む集中式病院全情報及び看護管理装置からなる医療管理装置３０を全体的に示す。図１に示す医療管理装置の実施形態をファイルサーバ４５を有するローカルエリアネットワークとして構成されているものとして示し、このファイルサーバにはＣＰＵsのほかに、薬局コンピュータ６０、ナースステーション７０が接続されている。ファイルサーバ４５はプログラム及びローカルエリアネットワークの種々のコンピュータによって入力され且つ集められたデータを記憶する。医療管理装置の種々の応用モジュールはネットワークのコンピュータの各々にあり、以下でもっと詳細に説明される。イーサネットケーブル５０が種々のＣＰＵsをファイルサーバに接続するのに使用される。ファイルサーバ４５はネットワークで集められたデータのみならずプログラムをも記憶するためのローカルとネットワーク両方のハードディスク記憶装置を有する。
【００１０】
今図１及び２の両方を参照すると、図１の医療管理装置３０の機能ブロックダイヤグラムを図２に示し、医療管理装置を形成するために他の病院情報管理装置と連結し且つそれに接続する。この医療管理装置はネットワーク５及び適当なインターフェース１０を介して相互に接続された薬局情報装置２０、及び病院管理装置４０のような個々の病院装置の組み合わせと統合されている。種々の装置２０、３０、及び４０の各々は一般的には、デジタルコンピュータのようなハードウェアの組み合わせからなり、該コンピュータは１つ又はそれ以上の集中処理ユニットと、高速指示及びデータ記憶装置と、ハードウェアを作動するオンライン超大容量記憶装置及びデータの短語記憶装置と、取り外し可能なディスクドライブプラッタ、ＣＤ、ＲＯＭs、又は磁気テープのようなデータのオフライン長語記憶装置と、モデム、ネットワーク５のようなローカルエリア又は広域ネットワーク、及びレポートを生じさせるためのプリンタに接続するための通信ポートと、を含む。このような装置はまたビデオディスプレー及びキーボード、タッチスクリーン、プリンタ及び種々の臨床装置とのインターフェースを含むリモートターミナルを有する。作動装置及び特別のソフトウェアアプリケーションを以下にもっと詳細に説明する。
【００１１】
図１及び２の医療管理装置の点は、ローカルハードドライブ、ＣＤ ＲＯＭ、磁気テープ、又は他の媒体のような充分な超大容量記憶装置を有するＩＢＭ、又はＩＢＭ互換性パーソナルコンピュータのようなファイルサーバ４５と、医療管理装置の点からなる他のハードウェアと相互接続するのに適当な通信インターフェース能力と、を有する。多くの形態が可能であるが、１つの実施形態では、ファイルサーバはデータ通信ルータのようなハードウェアと、ネットワーク全体のためのデータを記憶する大型ハードドライブと、病院ネットワークと通信するための通信ハードウェアとを含む。加えて、別個のコンピュータ（ＣＰＵ）２７が病院ネットワーク５と通信し、病院ネットワークを制御し且つ病院ネットワークとのゲートウエイを作るのに使用される。
細かいネット、又はイーサネットケーブルからなるローカルエリアネットワーク５０が中央ファイルサーバ４５を、医療管理装置からなるハードウェアに接続するのに使用される。
【００１２】
本実施形態では、医療管理装置のファイルサーバ４５は、病院の薬局に、病院全体にわたって置かれたナースステーションに、及び患者のそばに設置されたコンピュータ及び他の周辺機器にローカルエリアネットワーク（ＬＡＮ）５０によって接続される。図示した実施形態では、薬局に設置されたモジュールは中央処理ユニット６０からなり、患者情報及び薬パラメータのエントリ及びディスプレーのためのビデオディスプレー６４及びキーボード６２がこの中央処理ユニットに取り付けられる。薬局ＣＰＵには、バーコードリーダ６８が取り付けられ、バーコードリーダは、以下にもっと完全に述べるように、薬の容器、機器、又は介護人身分証明バッチに付けられるバーコードラベルを読み取るようになっている。薬局ＣＰＵ６０にはまた、バーコードプリンタ６９及び患者の病歴及び又は患者の治療に関する情報を含むレポートを生じさせるのに使用されるプリンタ６６が接続される。プリンタ６６はまた、患者又は薬のデータがキーボード６２又は他の手段を使用して専門家又は薬剤師によって薬局コンピュータ６０に入力された後、ＣＰＵ６０によって発生されたバーコードラベルをプリントするのに使用される。
【００１３】
ここでは、ナースコンピュータＣＰＵ７０と称される他のコンピュータがナースステーションに設置される。ナースステーションは典型的には病院又はクリニックの種々のセクション及びフロアに設置され、そして典型的には多数の患者のベッドの登録記憶及び監視のため集中場所を提供する。ナースステーションに設置されたナースＣＰＵ７０は典型的には病院の特定のユニットの操作に関する患者又は他の情報を表示するためのビデオディスプレー７４と、患者の医療歴か個々の患者の治療コース及び経過かのいずれかに関するレポートを、取り付けたプリンタ７６で又はビデオディスプレー７４で発生させるためにナースＣＰＵ７０に指示する患者のデータ又は特別な命令を入れるためのキーボード７２、マウス、タッチスクリーン又は他の手段と、を有する。いかにもっと詳細に説明するように、ナースステーションＣＰＵ７０はまた、例えば、患者に投与するように予定される薬のプリントアウトのような他のレポート、例えば、看護婦が患者と費やす時間の量のような生産性の測定値、特定なユニット又は病院の効率的な作業を助けるのに有用なたのレポートを発生させる。例えば、実際の投与時間対投与予定時間をリストしているレポートがスタッフの要求の評価を助けるのに準備される。
【００１４】
ナースステーションと関連した各看護ユニットは典型的には個室、共有病室、又はオープン又はセミオープン共同病室に設置される多くの患者ベットの１つを有し、オープン又はセミオープン共同病室は多数のベッドを収容する。本発明の実施形態によれば、各個室、セミ個室、又は共同病室は１人又はそれ以上の患者を監視し且つ治療するための少なくとも１つのベッドサイドＣＰＵ８０を有する。各ベッドサイドＣＰＵ８０はキーボード、マウス、タッチスクリーン８３、又は他の手段を有する。ベッドサイドＣＰＵ８０は種々の病院データベースにアクセスして特定の患者の種々の情報を表示するために看護婦、医者、又は専門家によって使用される。この情報は、病院の薬局情報装置２０によって維持される患者の医療プロファイルから由来されるオンライン、リアルタイム、グラフの患者医療管理記録（ＭＡＲ）を含むのが良い。ベッドサイドＣＰＵ８０により、患者の医療歴を表示するためにファイルサーバ４５によって記憶された患者の記録にリモートアクセスすることができる。この医療歴は患者への過去、現在及び将来の施しのためのあらゆる薬又は他の治療のリストを含む。加えて、病院の管理装置４０の管理記録へのアクセスはネットワーク５を通して得られる。
【００１５】
各ベッドサイドＣＰＵ８０は適当なインターフェースを介して種々の周辺機器に接続することができる。例えば、患者の腕輪又は医療容器のバーコードを読むことの出来るバーコードリーダ９０、所定の一定な方法で患者に医療を施すための注入ポンプ９２、又は患者の生命徴候を自動的に監視してこれらの生命徴候を表す信号を、治療の過程の間患者の生命徴候信号をグラフで表示するために、選択されたソフトウェアアプリケーションによる記憶及び後の検索に適当なインターフェースを介してコンピュータに送ることができる種々のセンサー９４である。図面には複数のベットサイドＣＰＵが示してあるが、特定の装置及び病院の要求に応じてもっと多くても少なくてもよい。
【００１６】
今、図３を参照すると、医療管理装置３０からなる種々のアプリケーションソフトウェアモジュールを示すブロックダイヤグラムを示す。医療管理装置３０のアプリケーションソフトウェアは構造がモジュールであり、存在するアプリケーションソフトウェア群のたった１つ又はそれ以上を備えた装置の据えつけ及び操作を可能にする。これは、コスト及び複雑さが問題になるかもしれない場合又は完全な装置を必要としない場合個々の施設の広範囲に変わる要求を満たす点で融通性をもたらす。しかしながら、モジュールアプリケーションの各々は装置に完全に統合できる。
【００１７】
医療管理装置３０のプログラムはモジュールアプリケーションの１つによって発生される警報を制御する。警報は適当なビデオディスプレーに自動的に接続される。例えば、ポンプ９２によって発生された閉塞の警報は所定期間ローカルのままである。その期間の後、患者のベットサイドコンピュータ８０が、警報をＬＡＮ５０に通信させることによって警報を放送し、潜在的な問題の他の病院スタッフに警報し或いは、例えば、医者又は看護婦のような、患者の医療に責任をもつ特定な人に携帯用無線呼び出し機で連絡させる。
【００１８】
今、モジュールアプリケーションの各々を詳細に説明する。臨床設定におけるこれらのモジュールアプリケーションの各々の操作を以下にもっと完全に説明する。投薬投与管理モジュール１１０は医療注文情報、注入ポンプ監視、及び患者に投与すべき投薬の実時間証明及びカルテを裏付けるバーコード技術を統合する。投薬投与管理モジュール１１０は各患者のオンライン、実時間、患者特殊医療管理記録（ＭＡＲ）又は集中投薬管理記録（ＩＭＡＲ）を作り且つ維持する。この投薬管理モジュール１１０は患者に提供された医療に関する、施設で発生した情報のすべてを収容する。投薬投与管理モジュール１１０は施設全体にわたって分配された医療管理装置３０の周辺ハードウェアからなる種々のナース及びベットサイドＣＰＵ（７０、８０（図１））から情報を収集する。例えば、患者に付き添う医者が病気を診断して患者に適当な治療コースを決定するとき、医者は所望な治療並びに投与の分量及び又は期間のような適当なパラメータを特定する手書きの医療注文を準備する。手書きの処方箋は施設のメール装置を介して薬局に送られ、薬局で、処方箋は専用の端末又は他の手段によって薬局情報装置２０に入れられ、次いで医療管理装置３０に入れられる。
【００１９】
他の実施携帯では、医者はナースＣＰＵ７０又はベットサイドＣＰＵ８０のいずれかを使用してネットワーク５を経て専用の端末によって或いは医療管理装置３０によって薬局情報装置２０にアクセスする。別のやり方として、治療命令を看護婦又は他の有資格の医療施与者によって薬局情報装置２０か医療管理装置３０のいずれかに入れられる。
【００２０】
今、図４乃至６を参照すると、本発明のバーコード識別装置の種々の実施例を示す。図４は、各患者が意識不明であるとしても或いは質問に応答することが出来ないとしても、患者を識別することができようにするために、例えば、病院又は他の施設に典型的に使用される種類の患者識別ブレスレット１７０を示す。バーコード１７５がラベルに印刷され、そのラベルは患者識別ブレスレット１７０に取り付けられ、そして患者を識別するのに必要な情報はバーの列内にコード化される。このバーコードは、薬局ＣＰＵ６０及びベットサイドＣＰＵ８０（図１）に接続された、図示したバーコードリーダのようなコンピュータ化したバーコードリーダを使って読まれる。バーコードリーダはバーコードを走査する光放出及び受光ワンド（ｗａｎｄ）９２を有する。ワンド９２から放出された光はバーコードを構成する暗線と明線の列によってワンド９２の受光レンズへ反射される。
【００２１】
ワンド９２内のセンサーが受けた光を信号に変換し、該信号はＣＰＵに伝達される。ＣＰＵで作動するソフトウェアアプリケーションプログラムは信号を当業者に周知の方法でバーコードによって表されるデータにコード化する。適当なソフトウェアプログラムを使用すると、このデータはＣＰＵのメモリー又はディスク記憶装置に記憶されたデータベースに自動的に入れられる。
【００２２】
バーコード装置は極めて融通性があり、限られるけれども、バーコードで表される情報量を種々の方法で使用することができる。例えば、図５に示すように、薬容器１８５をバーコード１８２を印刷したラベル１８０によって識別する。このバーコード１８２は患者の識別及び医療注文番号、施設が、薬を投薬する上で、また治療を追跡する上で役立つと思われる他の情報を表すことができる。バーコード１７５はまたバーコードリーダを使って読むことができ、いかに説明する投薬投与管理モジュール１１０内に含まれたアプリケーションソフトウェアのような適当なアプリケーションソフトウェアを使用すると、正しい薬を正しい方法で正しい時間に正しい患者に出されるようにするために、薬容器及びその中身を患者に取り付けた患者識別ブレスレット１７０とリンクさせるのに使用することができる。バーコードの使用は上記の実施に限定されない。バーコード１７５を有するバーコードラベル１７７のシート１９０を図６に示す。かかるラベルは医療管理装置３０の薬局ＣＰＵ６０に接続されたプリンタによって、或いは別のやり方として、医療管理装置３０の種々のＣＰＵに接続されたバーコードリーダによって読むことができる形態で情報を支持するバーコードを作るようにプログラムされた他の病院情報装置に接続された他のプリンターによって印刷することができる。これらのバーコードラベル１７７は臨床装置、患者の持ち物、或いは確実な識別を必要とする他の物品に付けても良い。
【００２３】
投薬投与管理モジュール１１０（図３）の主な利点の１つは、モジュールが上記のバーコードラベルと協力して働くことである。投薬投与管理モジュール１１０が、ＣＰＵ６０、バーコードリーダ６８、及びプリンター６６からなる上記のハードウェア装置を、接続されたバーコードリーダ９０を備えたベットサイドＣＰＵ８０と一緒に使用して実行されるときには、医療管理装置３０は、投薬を正しい患者に、正しい分量で、正しいルートにそって、そして正しい時間に投与することを保証する。
【００２４】
投与すべき投薬が注入ポンプを使用する患者に典型的に出されるタイプのものである場合には、投薬投与管理モジュール１１０は注入開始時間を自動的に記録し、注入の連続記録を維持して、注入全体にわたってポンプに周期的に質問をし、患者のＭＡＲに、注入の終わり時間及び注入された容積を記録する。ベットサイドＣＰＵに接続された注入ポンプがプログラム可能なディスプレーを有していれば、薬の名前並びに注入の進行に関する他の重要な情報を注入全体にわたって注入ポンプで表示して、注入の現状の可視的な表示を提供することができる。図７に１つのかかるポンプを示す。図８に示す特定な注入ポンプは３つのポンプチャンネルを有する。チャンネルのうちの２つは注入されている薬の名前を表示する。
【００２５】
投薬投与管理モジュール１１０は、過去、現在、及び将来の予定投薬を含むオンライン、実時間、患者の特定なグラフ的投薬投与管理記録を維持するから、看護婦はＭＡＲで予定投薬量を選択し、特定な時間における患者の健康状態に応じたオープションのリストから選択された特定な理由のために投与量を投与しないことを指示する。この装置により、看護婦にＭＡＲで予定された分量を選択させ、オープションのリストから選択された投与量についてメモ及び観察を記録させる。医療管理モジュール１１０はまたオンライン、実時間ヘルプスクリーンを提供し、このスクリーンに看護婦又は他の看護人がアクセスして投与すべき選択された投薬及び投与量についての特定な情報を表示することができる。
【００２６】
投薬投与管理モジュール１１０は図８に示すような薬局ＣＰＵ６０ビデオディスプレーに表示させることができる進行中の注入のリストを提供する。所定時間内に終わる薬の投与は他の管理と色のハイライト又は他の手段で区別される。残っている時間、薬、及び患者の名前並びにプログラム制御のためのボタンが与えられる。
投薬投与管理モジュール１１０は記憶されたファイルの中に、例えば、以下でもっと完全に説明する照合処理中に、食い違いが識別されたときに発生される警報のログを記録し且つ維持する。投薬投与管理モジュール１１０により、看護婦に実時間における食い違いを認識させてこれを修正させ、或いは適当な注文を入れることによって警報を無視させる。看護婦に警告を無視させる場合でも、医療管理モジュール１１０は警告無視毎に理由について看護婦に思いつかせ、患者のＭＡＲにその理由を自動的に入れる。
投薬投与管理モジュール１１０は、患者のＭＡＲのオンライン質問を行い、且つ投薬投与管理を計画する上で、またナースユニットが責任をもつ多くの患者に投薬を投与する作業量を予定する上で看護婦を助けるように設計されたレポートを作る能力を提供することによって患者に医療を効率的に施す上で看護婦又は他の健康管理専門家を助ける。例えば、ビデオディスプレーは図９に示す患者のＩＭＡＲのような、各薬投与の現況及び予定を指示するのに色でコード化される。
【００２７】
予定投与時間の３０分前から３０分後に及ぶ薬出しウインドウをディスプレーに黄色帯で指示する。図１０のタスクリストのような他のレポートは、例えば、あらゆる投薬を直ちに与えられるようにするためにある時間にわたって仕事量を分配しながら患者の適切な投薬を保証する薬投与の予定を含む。装置はまたナースステーションのビデオディスプレー７４で可視的な警告を表示し、或いはだんだん走っている又は再び予定された投薬投与管理の恒久的な記録を作るためにプリンター７６で印刷されたレポートを作る。投薬投与管理モジュール１１０は自動で作動するようにプログラムされて、特定のナースユニット及び施設の要望によって決定されたように、例えば３０分毎のような所定の間隔でナースステーションに標準のレポートを自動的に提供する。
【００２８】
図３に示す臨床監視及び結果歴１３０はネットワークに取り付けられた種々の臨床装置を実時間で監視するように設計され、そしてこれらの装置についての情報をネットワーク上のほかのどこかに設置された監視ステーションに与える。例えば、臨床監視及び結果歴モジュール１３０は、使用中、ナースユニットにおける個室、セミ個室又は共同病室で患者に投薬を出すことになっている複数の臨床装置を監視するように構成されている。臨床監視及び結果歴モジュール１３０は各装置から実時間データを受け、ナースＣＰＵ７０（図１及び２）に接続されたビデオディスプレー７４に、現状及び設定に関係したあらゆる重要なデータを含む、各装置の可視的表示を表示する。例えば、臨床監視及び結果歴モジュール１３０が注入ポンプ９２を監視している場合には、ナースステーションの看護婦はそのポンプの現状にアクセスでき、ナースＣＰＵ７０に取り付けられたディスプレー７４はその時間に行われている注入の現状に関する情報を表示する。例えば、情報は注入されている薬の名称、患者の名前、予定開始、注入の実際の開始、注入の予定終了、注入のプロジェクト終了、注入された薬の量、注入すべき薬の残り量、及び看護婦が注意を要する警報又は食い違いの状態を含むことが出来る。医療管理装置３０は完全に集中した装置であるから、投薬投与管理モジュール１１０は臨床監視及び結果歴モジュール１３０と協力して働き、従って看護婦、医者、又は専門家は、ナースＣＰＵ７０のビデオディスプレー７４か、ベットサイドＣＰＵ８０のビデオディスプレー８４のいずれかに表示された注入の現状を評価した後、コンピュータのタッチスクリーンを使用することによって、注入の管理を調整し、従って、図１１に示すようにビデオディスプレー７４、８４に表示されたスクリーンを使用することができる。
【００２９】
臨床監視結果歴モジュール１３０はまたアラームが起こるとき、ナースＣＰＵ７０に取り付けられたビデオディスプレー７４のような、リモート監視スクリーンに警報状態を直ちに表示するようにプログラムされている。例えば、各患者の注入の現状は図１２にオーバビューコンピュータスクリーンによって示されているようにナースステーションのビデオディスプレーに表示される。警報が起こると、患者の病室を表すボックスが赤くフラッシュして警報に注意を引かせる。この方法で警報状態を表示することによっり、看護婦にナースステーションから患者を迅速且つ容易に識別させ、適当な処置を講じて警報を引き起こしている状態と取り組む。装置はまた、施設の薬局に設置された薬局ＣＰＵ６０に取り付けられたビデオディスプレー６４のような、施設全体に設置された他のビデオディスプレーで特に重要な結果として識別されたある警報を表示するようにプログラムされる。図１２のオーバビューディスプレーの方法はまた最新の記録を容易にする。例えば、患者が病室を移るとき、患者の名前をクリックしてその患者を新しい室にドラグし、そしてクリックをやめることによっり、記録に患者の移動を反映させ、ディスプレーは今やその室の中に患者を示す。
【００３０】
図３に示す臨床装置追跡及び報告モジュール１２０は施設内での各臨床装置の場所及びその使用歴の記録を維持するのに使用される。この装置は、注入ポンプ又は生命徴候センサーのような、施設内で使用される各臨床装置の、施設内での最近又は最後に知られた場所の記録を維持する。かくして、所定の治療管理又は生命徴候測定機について看護婦又は専門家が適当な機器を容易に探すことが出来る。これは多くの患者の室、患者のベッド、又は機器が一時的に行方不明になった治療室を有する大きな病院又はクリニックに特に有用である。この装置はまた、治療が特定な機器ピースを必要とするような緊急事態が起こったような特別な場合にも有用である。その機器の現状を、ナースＣＰＵ７０に接続されたビデオディスプレー７４のような、リモートビデオ端末から容易に確かめることができる。
【００３１】
臨床装置追跡及び報告モジュール１２０はまた、治療するのに使われた患者、場所、日、時間、使用期間、起こったアラーム及びどんな投薬が投与されたかについての情報を含む、各臨床装置の使用歴を入れた記録を維持する。この歴はまた臨床装置の保守及び較正記録を入れている。このような情報は、臨床装置を探すのを助けるレポート、装置の過去の使用についてのレポートを発生させ、且つ予防的な保守及び較正の記録を提供するために、専門家、看護婦、又は他の病院の管理者によってオンラインで質問される。複雑且つ敏感な臨床装置の効率的な較正は、治療施しの正確さ及び質を維持するために健康管理施設では特に重要である。装置の使用の歴を維持することは、要望されたとき、或いは特定の臨床装置が時代後れになり、臨床装置のより新しいモデルで置き換える必要があることを記録が指示する場合に、追加の臨床装置を購入することを正当化するのにも役に立つ。
医療管理装置３０は又各患者の治療のためのあらゆる消費品目の使用の記録を維持する消費物追跡モジュール１４０を含む。この記録は、適当な支給物を注文して、それを、タイムリーにかつコスト効率な方法でナースユニットに配送して必要な支給物の支給停止を防止するようにする。このような情報は又、支給物の購入ができるだけコスト効率になされるようにするために、適当なインターフェース又は他の管理装置を介して病院の在庫装置によって使用される。消費追跡モジュール１４０はオンライン質問を出し、特定な患者、特定なナースユニット、又は種々の他の目的のために消費用途を摘要するレポートを作成する。
【００３２】
ユニット管理ツールモジュール１５０は、看護婦が患者に関する情報を分け合うのを助け、ナースユニット内の日常業務を自動化する。ユニット管理ツールモジュール１５０により、看護婦に、患者のアレルギー、障害、及び特別な医療の要求を記録させ、投薬管理記録モジュール１１０及び臨床監視及び効果歴モジュール１３０と協働して、あらゆる適当なディスプレースクリーンに、即ち、薬局ビデオディスプレー６４か、ナースビデオディスプレー７４か、ベッドサイドビデオディスプレー８４（図１）のいずれかにその情報を目立って表示する。又、ユニット管理ツールユニット１５０により、看護婦に、例えば、患者が外科に、或いは、リハビリ治療のような特殊な種類の治療の施設の異なる部分に移されるときのような、患者が室から出たときに或は階を降りたとき患者の移り及び時間を記録させることができる。この装置は又、患者が予定より長く装置から外されたとき、例えば、患者が注入から外れて個人の養生に精を出すとき、警報を指示するようにプログラムされる。この機能は確実に警報を発し、適当な人に潜在的な問題を知らせ、警報状態を軽減するのに必要な処置を取ることができるようにする。
【００３３】
知識源ツールモジュール１６０は病院内の種々のユニットに分け合う情報のフレームワークを作り、かつ又施設内の健康管理施行に係わる看護婦、医者及び専門家によって使用されるひとそろいの毎日のツールを支持する。このモジュールは、施設内で患者を治療する際に医療管理チームの有効性を改善するために、外部情報源を医療管理装置３０に統合させるのを助ける。
例えば、知識源ツールモジュール１６０は、例えば、計算機、患者に注入すべき特定な薬に適当な投薬量及び注入流量を計算するための投与流量計算器、計測ユニット間を変換するための標準計測値変換計算器、皮ふ表面積計算器、及びタイマーとストップウォッチを含む種々のオンラインツールを提供する。これらの資源は装置内の適当な個所のビデオディスプレー６４、７４、８４に表示され、薬局か、ナースステーションか、ベッドサイドのいずれかのＣＰＵから利用できる。これらのアプリケーションツールは、例えば注入ポンプが注入の開始に、投与流量の計算を助けるように、構成されているときのように、ビデオディスプレー６４、７４、８４に自動的に表われるようにプログラムされている。これらの資源は又、看護婦、医者又は専門家によって適当な命令に入されたときに利用できる。
【００３４】
図２をもう一度参照すると、装置管理副装置１９０を示し、これらマイクロコンピュータからなる。副装置はポンプのような臨床装置を監視する。別のやり方として、副装置１９０はベッドサイドＣＰＵ８０のような他のマイクロコンピュータに含まれる。
背景監視装置１９５は又孤立のマイクロコンピュータに配置されても良いし、或いは既存のマイクロコンピュータに組込まれても良い。副装置はインターフェースゲートウェイコンピュータ２７の環状を監視するような背景タスクを行う。図２に示すように、医療管理装置３０は施設内の他の装置にインターフェース１０を経て接続される。このインターフェースは病院の他の情報装置との標準健康水準７（ＨＬ７）インターフェースを支持し、かつ又、ＨＬ７標準を支持しない装置との慣習インターフェースを支持することができる。装置インターフェースは実時間モードでも良いし、或いはバッチモードでも良いが、病院薬局装置との実時間インターフェースは投薬投与管理モジュール１１０の機能を保つオンライン投薬投与を支持するように要求される。
【００３５】
医療管理装置ソフトウェアは、種々の施設の要望を満足させる種々の作動装置で作動するように書き込まれる。本実施形態では、ソフトウェアは、ＩＢＭ互換性マイクロコンピュータでウインドウズの環境（ウインドウズはマイクロソフト社の商標）を使用して看護婦及び医者とインターフェースするように書き込まれる。ウインドウズの環境は当業者に周知であり、ここでは詳細に説明しない。医療管理装置は、ウインドウズ装置を使用して実行されるとき、ウインドウズ作動装置が一度にいくつかのプログラムを入れる能力を提供する点は特に有用である。いくつかのアプリケーションプログラムを同時に働らかせ、しかも医療管理装置３０の種々のソフトウェアモジュールに直ちにアクセスすることができる多タスクプログラムを使用しても良い。
【００３６】
医療管理装置の１つの特定な操作モードを説明する。上記のように、病院又は他の医療施設に入った患者には、患者が意識不明、さもなければ手答えがないとしても患者を識別することができるように患者に取付けられる腕バンド、ネックレス、足首バンド又は他の識別器が与えられる。このような腕バンド１７０を図４に示す。１つの実施形態では、腕バンド１７０のバーコードは患者の名前、その他の施設が重要と決めた情報を表わし、かつ又バーコード１７５を含む。名前、年令、アレルギー、又は他の生命情報のような、バンドに印刷された情報がバーコード１７５にコード化される。
【００３７】
患者が施設内のベッドに収容された後、患者は典型的には、医者によって鑑定され、そして治療コースが処方される。医者は、一連の試験所テスト又は患者への特定な投薬の投与を求める注文を準備することによって治療コースを処方する。医者は典型的には、用紙に記入し、或いは、医療を与えるための病院の装置に入れるべき紙切れに注文を書くことによって注文書を準備する。
注入が特定の投薬療生法の管理についてであれば、注文は施設の薬局に伝えられる。注文は薬局に記入用紙で到達し、薬局によって評価されそして加工される。次いで、薬局は医者の要求に従って投薬を調合する。薬局は投薬を、図５に示す容器１８５のような容器に包装する。通常は、注文の写し、或いは、最低、患者の名前、薬の名前、及び適当な治療パラメータが薬容器１８５に付けられたラベルに表わされる。本発明の１つの実施形態によれば、この情報は、ラベル１８０に印刷されるバーコード１７５で表わされる。このバーコードラベル１７５は、病院の薬局情報装置２０に取付けられたプリンターのような、バーコードを印刷することのできるプリンターを使用して自動的に作られる。この投薬注文の存在は病院の薬局情報装置２０によって利用され、そしてファイルサーバ４５によって記憶される。
【００３８】
一般的には、投薬は患者に投与するための適当な医療施与ユニットに配送される。看護婦又は専門家は薬容器１８５を適当な患者に運ぶ。本発明の１つの実施形態によれば、看護婦又は専門家は先ず、ベッドサイドＣＰＵ８０に接続されたバーコードリーダ９０を使って、患者のＩＤ腕輪１７０のバーコード１７５を読む。次いで、看護婦又は専門家は、バーコードリーダ９０を、薬容器１８５のラベル１８０に印刷されたバーコード１７５、１８５に当てることによって、薬容器に取付けられたラベル１８０のバーコード１７５を読む。加えて、投薬を与える医療施与者の識別の記録が、施設のあらゆる人が付けている識別バッチ２００に印刷されたバーコード２０５を読むことによって得られる。
【００３９】
或る薬については、医療施与者は、証明処理を完了する前に、試験値又は現在の生命徴候のような選択された患者のパラメータを表わすデータを入れるよう指示される。例えば、医療施与者は、或る選択された薬を投与する前に、患者の血圧の値を測定してこれを入れるように指示される。装置はパラメータについて許容値の範囲を含む。装置がパラメータについて範囲外の値を検出すると、装置により、警報が出される。別の実施形態では、パラメータは監視されて装置に自動的に入れられ、医療施与者による手動入力の必要を除去する。
【００４０】
得られたデータは、患者のＭＡＲに治療養生情報を記録する投薬投与管理モジュール１１０によって分析され、そして、正しい投薬が正しい投与量で、正しいルートで、そして正しい時間に、正しい患者に与えられていることを証明する。投薬投与管理モジュール１１０が患者のブレスレット１７０に印刷されたバーコード情報を投薬容器１８５に取付けられたラベル１１０のバーコード情報との間の食い違いを検出すると、警報が発せられて適当な情報がベッドサイドＣＰＵ８０に取付けられたビデオディスプレー８４に表示される。次いで、看護婦が専門家のいずれかが、患者のブレスレットのバーコード及び投薬容器１８５のバーコードラベル１８０を読み直すことによって、或いは別のやり方として、キーボード８２、又は、タッチスクリーン装置、マウス、又は他の装置を使ってベッドサイドＣＰＵ８０に適当な情報を入れることによって、食い違いを修正する。看護婦か又は専門家が、バーコードを読み直すことによってその食い違いを自動的に修正することができないこと、及び食い違いが僅かであって、投薬の調剤の正確さ又は安全性に影響を及ぼさないことを決定する場合には、看護婦又は専門家は警報を無視しても良い。
【００４１】
ベッドサイドＣＰＵ８０に取付けられた注入ポンプ９２、９４のような注入ポンプを使って投薬を施す場合のような、本発明の実施形態では、医療管理装置は注入に適した制御パラメータからなる情報を薬局ＣＰＵ６０からローカルエリアネットワーク５０を介してベッドサイドＣＰＵ８０に自動的に与え、次いで、投薬投与管理モジュール１１０の証明機能が完了したとき注入ポンプ９２、９４に与える。これは、１つの潜在的な不正確源をポンプを自動的に制御することによって除去し、かくして、注入ポンプ９２、９４を制御するのに必要なパラメータを看護婦又は専門家が手で入れる必要性を除去する点で特に有利である。或る実施形態では、注入ポンプ９２、９４はＩＶＡＣ社製モデル５７０容積式ポンプからなる。ネットワークからパラメータを与えることによってポンプを自動的に制御することができない実施形態では、医療管理装置３０は、正しい治療が正しい患者に与えられていることだけを証明するに過ぎない。すると、ポンプは、医者、看護婦又は専門家によって手で制御されなければならない。
【００４２】
注入ポンプがいったん制御されると、専門家は注入ポンプ９２、９４の制御装置を押すことによって注入を開始する。医療管理装置３０によって自動的に監視されることのできるポンプを始動することにより、信号がポンプからベッドサイドＣＰＵ８０に伝えれら、そして、臨床監視及び結果歴モジュール１３０によって記録され、そして、投薬管理モジュール１１０によって患者のＭＡＲに入れられる。施設がネットワークからパラメータを与えることによって制御されることのできないポンプを使用している場合には、看護婦又は他の医療施与者は、ベッドサイドＣＰＵ８０に接続されたタッチスクリーン装置、マウス、又は他の装置を使って注入の開始を記録する。この場合、注入の開始についての情報を表示する医療管理装置３０のビデオディスプレーは実時間データを表示しない。むしろ、医療管理装置３０は、注入の開始が注入パラメータに与えるべきものを、注入が始ってから経過した時間、注入の進行に影響を及ぼしたかも知れない。医療施与者によって手で記録された他の結果を表示する。
【００４３】
上記のアプリケーションモジュールを利用する医療管理装置は、実時間の方法で注入の進行を監視して施設全体にわたって設置された適当なビデオディスプレースクリーンに警報を与え、必要ならば、遠隔場所で、看護婦又は他の医療施与によって介在を許す。薬局管理装置２０が医療管理装置３０に直接リンクされているならば、医療管理装置３０は又進行している注入の環状を決定する際に並びに、将来の注入のための投薬の調合を予定する際に予定レポートを薬局に出す。
【００４４】
他の実施形態では、本発明は、急患の場合に使用されるように施設で予め選択された薬のリストを直ちに作成するために、医療施与者に装置をバイパスさせる「コードモード」を含む。「コードモード」の開始により、タイムスタンプを、急患を治療するのに使用されるべき薬の表示リストから選択された薬の識別と一緒に、患者のＭＡＲに入れることができる。この特徴は、急患、及び急患に処置するのに使われた治療が患者のＭＡＲに正確に記録されるようにする。
【００４５】
本発明の１つの特定な実施形態を上で説明したけれども、医療管理装置のネットワークの別の形態が可能である。例えば、医療管理装置３０の１つの変形実施形態を図１３に示す。この形態では、臨床装置は適当なインターフェース及びケーブルによってベッドサイドデータ集中器に接続され、該ベッドサイドデータ集中器は、典型的には、個室、セミ個室又は共同病室の外側に設置される。この形態では、上記のようなベッドサイドＣＰＵ８０はない。その代りに、ベッドサイドデータ集中器が適当なインターフェース及びケーブルを介してローカルエリアネットワークに接続される。これは、臨床装置から収集されたデータか薬局かナースステーションのいずれかのような種々の監視ステーションの医療管理装置及びディスプレーによって処理するために利用できる。この実施形態では、データを入れるためのキーボード８２、又は臨床装置情報を患者の情報の表示のためのビデオディスプレー８４を有するベッドサイドＣＰＵ８０がない。
【００４６】
医療管理装置３０のローカルエリアネットワークの点の更なる実施形態を図１４に示す。この実施形態では、ファイルサーバ及び監視ステーションが適当なインターフェース及びイーザネットケーブルを使ってＲＦデータ集中器に接続される。施設の個室、セミ個室、又は共同病室内のベッドサイド場所で、ベッドサイドの臨床装置及びバーコードリーダがＲＦトランスミッタに接続される。このＲＦトランスミッタは臨床装置及びバーコードリーダから集められた情報を、ローカルエリアネットワークに取付けられたＲＦデータ集中器に伝達する。かくして、各患者の治療エリアを接続するのに高価なケーブル接続が必要とされない。加えて、臨床装置及びバーコードリーダを設置する際に、並びにイーザネットケーブルのコストのかかる張り直し要することなく患者の治療エリアを再び制御する能力を許す際に融通性が得られる。
【００４７】
医療管理装置のローカルエリアネットワークの機械の更に他の実施形態を図１５に示す。この構成では、薬局ＣＰＵ、ナースステーションのナースＣＰＵ７０、及びベッドサイドＣＰＵ及び臨床装置を接続するイーザネットケーブルが完全に除去される。ファイルサーバ、ナースＣＰＵ７０、薬局ＣＰＵ６０、及びベッドサイドＣＰＵ８０及び臨床装置、及び又はバーコードリーダからなる各ハードウェア要素はＲＦトランスミッタ／レシーバに接続される。この方法で、情報のすべてがコストのかかるネットワークケーブルを使用しないで、無線伝達によってローカルエリアネットワーク全体にわたって伝達される。加えて、このような装置は医者、看護婦、又は専門家が施設を循回するとき、医者、看護婦、又は専門家が携えることのできるＲＦトランスミッタレシーバを有する携帯コンピュータの使用を可能にする。この構成では、看護人が、随意に、或いは、該看護人が所定時間に施設内にいなくても、警報の知らせで医療管理装置にアクセスすることができる。かかる装置は、看護人が多くの病院ベッドに対して責任があるような大きな施設で、あるいは、看護人がエリアの外にあり或いは階を降りているときに特に有用である。
【００４８】
本発明のいくつかの形態を示しかつ説明したけれども、発明の精神及び範囲から逸脱することなく、種々の修正をなすことができることも明らかである。従って、添附の請求項によることを除いて、出願が限定されるものではない。
【図面の簡単な説明】
【図１】本発明の原理を有し且つハードウェア要素及びローカルエリアネットワークの詳細を示す医療管理装置の図式図である。
【図２】他の施設情報管理装置とのインターフェースを追加的に示す、図１の医療管理装置の機能的なブロックダイヤグラムである。
【図３】図１及び図２の医療管理装置からなるソフトウェアモジュールの機能的なブロックダイヤグラムである。
【図４】バーコードリーダによって読まれるバーコードを有する患者識別ブレスレットの図式図である。
【図５】バーコードリーダによって読まれる、投薬容器に付けられたバーコードラベルの図である。
【図６】種々の容器又は装置に付けることができるバーコードラベルのシートを示す図である。
【図７】注入すべき薬の名前を、注入に関する他の情報と一緒に示す注入ポンプのディスプレーの図式図である。
【図８】投与すべき薬、残り時間、及び患者の名前を示す、進行中の注入のコンピュータスクリーンリストを表す。
【図９】予定時間ごろの予定投薬及びウインドウズを示す患者のＩＭＡＲ（集中投薬投与記録）を示す。
【図１０】或る時間に投与するための時間が患者の名前及び投与すべき薬とともに記載される、病院の部分的な階についてのコンピュータスクリーンタスクを示す。
【図１１】注文の管理を再び予定するのに使用されるコンピュータスクリーンを示す。
【図１２】種々の患者の室を患者の名前で示す病院の部分的な階のオーバビューを含むコンピュータスクリーンを表す。
【図１３】ローカルエリアネットワークにベットサイドデータ集中器を介して接続された臨床装置を示す医療管理装置のこの実施形態の図式図である。
【図１４】情報をローカルエリアネットワークからＲＦ伝送／受信機器を介して伝送し且つ受信する臨床装置を示す医療管理装置の更に他の実施形態の図式図である。
【図１５】ローカルエリアネットワークのハードウェア要素のすべてがＲＦ伝送／受信機器を使用して互いに通信する、図９の医療管理装置の他の実施形態の図式図である。
【図１】
0004410849.tif 000002
【図２】
0004410849.tif 000003
【図３】
0004410849.tif 000004
【図４】
0004410849.tif 000005
【図５】
0004410849.tif 000006
【図５Ａ】
0004410849.tif 000007
【図６】
0004410849.tif 000008
【図７】
0004410849.tif 000009
【図１３】
0004410849.tif 000010
【図８】
0004410849.tif 000011
【図９】
0004410849.tif 000012
【図１０】
0004410849.tif 000013
【図１１】
0004410849.tif 000014
【図１２】
0004410849.tif 000015
【図１４】
0004410849.tif 000016
【図１５】
0004410849.tif 000017